(57)【要約】【課題】  ケースの表面に垂直方向に作用する衝撃だけでなく、携帯端末機の長手方向に作用する衝撃にも充分に耐え得るようにすることで、変形を防止し得る携帯端末機を提供しようとする。【解決手段】  本発明の携帯端末器は、縁部に第１リブ４０が形成された上部ケース２０と、該上部ケース２０と締結され、その縁部に複数の第２リブ４４が形成された下部ケース２２と、を包含して携帯端末機の蓋体ケースを構成する。前記第１リブは、前記上部ケースの両方側縁部に長手方向に垂直に立てて形成されることを特徴とする。【選択図】図１
2004343751.tif 000002
【特許請求の範囲】
【請求項１】
縁部に第１リブが形成された上部ケースと、
該上部ケースと締結され、その縁部に複数の第２リブが形成された下部ケースと、
を包含して構成されることを特徴とする携帯端末機。
【請求項２】
前記第１リブは、前記上部ケースの両方側縁部に長手方向に垂直に立てて形成されることを特徴とする請求項１記載の携帯端末機。
【請求項３】
前記第１リブの上面に、複数の支持溝が等間隔を有して切削形成されることを特徴とする請求項２記載の携帯端末機。
【請求項４】
前記第２リブは、前記下部ケースの両方側縁部に垂直に形成された支持壁の内側面に等間隔を有して形成されることを特徴とする請求項１記載の携帯端末機。
【請求項５】
前記第２リブの上面に、係止突条が切削形成されることを特徴とする請求項４記載の携帯端末機。
【請求項６】
前記係止突条と前記支持溝とは、ほぼ十字状に係合されることを特徴とする請求項３〜５の何れか一つに記載の携帯端末機。
【請求項７】
前記支持溝は、前記係止突条に容易に嵌合されるように、その入口部位の幅が広く形成されることを特徴とする請求項６記載の携帯端末機。
【発明の詳細な説明】
【技術分野】
【０００１】
本発明は、携帯端末機に係るもので、詳しくは、外部から加わる衝撃により携帯端末機のケース及び内蔵部品が損傷することを防止し得る携帯端末機に関するものである。
【背景技術】
【０００２】
一般に、折畳式携帯端末機は、ＬＣＤを蓋体に形成することでＬＣＤのサイズを大きくし得るという利点を有するため、近来広用されている。
【０００３】
特に、最近、ＬＣＤが蓋体の裏面だけでなく表面にも装着されるデュアル（ＤＵＡＬ）ＬＣＤタイプの折畳式携帯端末機が開発されることで、その使用が増加されている趨勢である。
【０００４】
また、最近、携帯端末機の形態は、ＬＣＤがより大型化され、サイズはスリム化される趨勢であるため、外部の衝撃からＬＣＤを保護するための携帯端末機の構造に関する研究が活発に進行されている。
【０００５】
このような従来の折畳式携帯端末機は、図８に示したように、各種の電装部品が内蔵され、前面にメニューボタン２及びダイヤルボタン４などが具備され、後面にバッテリー６が装着される本体８と、該本体８に揺動自在に連結され、裏面及び表面にそれぞれＬＣＤ１２が付着される蓋体１０と、を包含して構成されている。
【０００６】
図９は、従来の携帯端末機の蓋体ケースの分解斜視図、図１０は、図９のＡ部拡大図、図１１は、従来の携帯端末機の蓋体ケースの結合状態を示した縦断面図、図１２は、図１１のＢ部拡大図である。
【０００７】
図示されたように、従来の携帯端末機の蓋体ケースは、端末機の外観を形成し、蓋体１０を開かない状態でＬＣＤにディスプレーされる情報を使用者が見得るようにするための表示窓１０２が具備された上部ケース１０４と、該上部ケース１０４と結合され、本体８に揺動自在に連結されるヒンジ部１０８が形成され、表示窓１１０が具備された下部ケース１０６と、前記上部ケース１０４と下部ケース１０６とが相互結合されるようにそれら上部ケース１０４及び下部ケース１０６に形成された締結部と、を包含して構成されている。
【０００８】
また、前記締結部は、前記上部ケース１０４の両隅部位に貫通形成されたネジ貫通ホール１１２と、該ネジ貫通ホール１１２を通過したネジが締結されるように前記下部ケース１０６に形成されたネジ締結溝１１４と、から構成される。
【０００９】
ここで、前記蓋体１０の上部及び下部ケース１０４、１０６には、それら上部及び下部ケース１０４、１０６の表面に垂直に作用する衝撃（図１１の矢印Ｐ方向に作用する衝撃）を耐えることで、それら上部及び下部ケース１０４、１０６に内蔵されたＬＣＤ及び各種の回路部品を保護する支持リブ１２０及び支持スロット１２２がそれぞれ形成されている。
【００１０】
即ち、前記支持リブ１２０は、前記上部ケース１０４の両方側縁部に所定長さを有して形成される。且つ、前記支持スロット１２２は、前記下部ケース１０６の両方側縁部に形成されて、前記支持リブ１２０が挿合されるようになっている。
【００１１】
このように構成された蓋体ケースを組立するときは、下部ケース１０６の内部にＬＣＤ及び各種の回路部品を内蔵した状態で、前記上部ケース１０４の支持リブ１２０を前記支持スロット１２２に挿合させた後、前記上部ケース１０４のネジ貫通ホール１１２にネジを挿合させて前記下部ケース１０６のネジ締結溝１１４に締結するようにする。
【発明の開示】
【発明が解決しようとする課題】
【００１２】
然るに、このような従来の携帯端末機においては、図１１及び図１２に示したように、支持スロット１２２の幅Ｌは１ｍｍ以下で、深さＭが該幅Ｌの３倍以上に形成されるため、下部ケース１０６を射出金型により製造する場合、前記支持スロット１２２を形成する射出金型のコア部も薄くて長く形成すべきであるので、該コア部の強度が低下して破損しやすくなり、よって、金型の製造費用が上昇されるという不都合な点があった。
【００１３】
また、従来の携帯端末機においては、図１３に示したように、携帯端末機の垂直方向（矢印Ｐ方向）に衝撃が加わる場合、支持リブ１２０が支持スロット１２２に支持されているため、衝撃による蓋体ケースの変形、並びに該蓋体ケースに内蔵されたＬＣＤ及び各種の回路部品の損傷を防止することができるが、携帯端末機の長手方向（矢印Ｑ方向）に衝撃が加わる場合は、上部ケース１０４が外側に曲がる変形が発生するため、前記上部ケース１０４の支持リブ１２０が下部ケース１０６の支持スロット１２２から離脱して、前記上部ケース１０４と下部ケース１０６間に隙間ができるという不都合な点があった。
【００１４】
本発明は、このような従来の課題に鑑みてなされたもので、ケースの表面の垂直方向に作用する衝撃だけでなく、携帯端末機の長手方向に作用する衝撃にも充分に耐え得るようにすることで、変形を防止し得る携帯端末機を提供することを目的とする。
【００１５】
また、本発明の他の目的は、上部ケース及び下部ケースを製作する射出金型の強度を強化して、金型の製造費用を低減し得る携帯端末機を提供することにある。
【課題を解決するための手段】
【００１６】
このような目的を達成するため、本発明に係る携帯端末機においては、縁部に第１リブが形成された上部ケースと、該上部ケースと締結され、その縁部に複数の第２リブが形成された下部ケースと、を包含して構成されることを特徴とする。
【００１７】
また、前記第１リブは、前記上部ケースの両方側縁部に長手方向に垂直に立てて形成され、前記第１リブの上面には、複数の支持溝が等間隔を有して切削形成されることを特徴とする。
【００１８】
また、前記第２リブは、前記下部ケースの両方側縁部に垂直に形成された支持壁の内側面に等間隔を有して形成され、前記第２リブの上面には、係止突条が切削形成されることを特徴とする。
【００１９】
また、前記係止突条と前記支持溝とはほぼ十字状に係合され、前記支持溝は、前記係止突条に容易に嵌合されるように、その入口部位の幅が広く形成されることを特徴とする。
【発明の効果】
【００２０】
本発明に係る携帯端末機においては、上部ケース２０の第１リブ４０に等間隔を有して複数の支持溝４２が切削形成され、下部ケース２２の支持壁４６の内側面に等間隔を有して第２リブ４４が形成され、該第２リブ４４に係止突条４８が形成されて、前記支持溝４２と係止突条４８とがほぼ十字状に係合されるようになるため、前記ケース２０、２２の表面に垂直方向に作用する衝撃だけでなく、携帯端末機の長手方向に作用する衝撃を耐えて、ケースの変形及び該ケースに内蔵されたＬＣＤ及び各種の回路部品の損傷を防止し得るという効果がある。
【００２１】
また、本発明に係る携帯端末機は、下部ケース２２に第２リブ４４が等間隔を有して形成されるため、射出金型のコア部の強度を増大させて射出金型の破損を最小化することで、製造費用を低減し得るという効果がある。
【発明を実施するための最良の形態】
【００２２】
以下、本発明の実施の形態に対し、図面に基づいて説明する。
【００２３】
図１は、本発明に係る携帯端末機の蓋体ケースの分解斜視図、図２は、図１のＣ部拡大斜視図、図３は、本発明に係る携帯端末機の蓋体ケースの結合状態を示した縦断面図、図４は、図３のＤ部拡大図、図５は、図３のＥ部拡大図である。
【００２４】
図示されたように、本発明に係る携帯端末機の蓋体ケースは、蓋体の外観を形成する上部ケース２０と、該上部ケース２０と締結され、本体８に揺動自在に連結されるヒンジ部２４が形成された下部ケース２２と、前記上部ケース２０及び下部ケース２２に形成されて、それら上部及び下部ケース２０、２２の表面に対して垂直方向に作用する衝撃及び携帯端末機の長手方向に作用する衝撃により各ケース２０、２２が変形されることを防止する支持部と、を包含して構成されている。
【００２５】
前記上部ケース２０には、前記上部及び下部ケース２０、２２に内蔵されたＬＣＤ（図示せず）にディスプレーされる情報を外部から見得るようにするための表示窓２６が装着され、前記上部ケース２０の両隅部位には、ネジが通過するネジ貫通ホール２８が形成される。
【００２６】
また、前記下部ケース２２には、前記ＬＣＤにディスプレーされる情報を見得るようにするための表示窓３０が装着され、前記ネジ貫通ホール２８を通過したネジが締結されるネジ締結溝３２が切削形成される。
【００２７】
且つ、前記上部ケース２０及び下部ケース２２の両方側縁部には、相互係止作用されるロッキングフック３４、３６がそれぞれ形成される。
【００２８】
また、前記支持部は、前記上部ケース２０の両方側縁部に形成され、等間隔を有して複数の支持溝４２が切削形成された第１リブ４０と、前記下部ケース２２の両方側縁部に垂直に立てて形成された支持壁４６の内側面に等間隔を有して形成されて、前記第１リブ４０が嵌合される第２リブ４４と、から構成される。
【００２９】
また、前記第１リブ４０は、前記上部ケース２０の両方側縁部に所定高さに垂直に立てて形成され、その上面には、複数の支持溝４２が所定深さを有して等間隔に切削形成され、前記支持溝４２の入口部位は、前記第２リブ４４に容易に嵌合されるように広く形成される。
【００３０】
また、前記第２リブ４４は、前記下部ケース２２の支持壁４６の内側面に前記下部ケース２２の長手方向に等間隔を有して垂直に突成され、その上面には、前記支持溝４２が十字状に嵌合されるように係止突条４８が切削形成される。ここで、該係止突条４８の幅及び深さは、前記支持溝４２に対応するように形成される。
【００３１】
即ち、前記第２リブ４４は、前記下部ケース２２に等間隔を有して形成されるため、射出金型のコア部の構造的強度が増大される。
【００３２】
以下、このように構成された本発明に係る携帯端末機の組立工程及び作用に対して説明する。
【００３３】
図６及び図７は、本発明に係る携帯端末機の蓋体ケースの組立工程を示した一部斜視図で、図示されたように、本発明に係る携帯端末機の蓋体ケースの組立は、下部ケース２２の内部にＬＣＤ及び各種の回路部品を内蔵した後、該下部ケース２２の上面に上部ケース２０を載置して所定の力を加えて、それら上部及び下部ケース２０、２２の縁部にそれぞれ形成された係止フック３４、３６が相互係止されるようにすることで、それら上部及び下部ケース２０、２２の固定状態を維持し、前記上部ケース２０のネジ貫通ホール２８にネジを挿合して前記下部ケース２２のネジ締結溝３２にそのネジを締結すれば良い。
【００３４】
即ち、前記上部ケース２０の第１リブ４０が前記下部ケース２２の第２リブ４４に嵌合され、前記第１リブ４０の支持溝４２が前記第２リブ４４の係止突条４８にほぼ十字状に嵌合して結合される。
【００３５】
このように組立された本発明に係る携帯端末機は、上部及び下部ケース２０、２２の表面の垂直方向に外部の衝撃が作用すると、前記上部ケース２０の第１リブ４０が前記下部ケース２２の第２リブ４４に支持されて、それら上部及び下部ケース２０、２２の表面の垂直方向に作用する衝撃を耐えるため、各ケース２０、２２の変形及びそれらケース２０、２２に内蔵されたＬＣＤ及び各種の回路部品の損傷を防止することができる。
【００３６】
また、携帯端末機の長手方向に衝撃力が伝達されると、前記上部ケース２０の第１リブ４０に形成された支持溝４２と前記下部ケース２２の第２リブ４４に形成された係止突条４８とがほぼ十字状に嵌合されているため、前記支持溝４２の両方側面と前記係止突条４８の両方側面とが交互係合されて前記上部ケース２０と下部ケース２２間の長手方向への遊動が防止され、携帯端末機の長手方向の衝撃が耐えられるため、ケースの変形及び該ケースの変形によるＬＣＤ及び各種の回路部品の損傷を防止することができる。
【００３７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００３８】
【図１】本発明に係る携帯端末機の蓋体ケースの分解斜視図である。
【図２】図１のＣ部拡大図である。
【図３】本発明に係る携帯端末機の蓋体ケースの結合状態を示した縦断面図である。
【図４】図３のＤ部拡大図である。
【図５】図３のＥ部拡大図である。
【図６】本発明に係る携帯端末機の蓋体ケースの結合過程を示した一部斜視図である。
【図７】本発明に係る携帯端末機の蓋体ケースの結合過程を示した一部斜視図である。
【図８】従来の折畳式携帯端末機を示した斜視図である。
【図９】従来の携帯端末機の蓋体ケースの分解斜視図である。
【図１０】図９のＡ部拡大図である。
【図１１】従来の携帯端末機の蓋体ケースの結合状態を示した縦断面図である。
【図１２】図１１のＢ部拡大図である。
【図１３】従来の携帯端末機に衝撃が加わるときの状態変化を示した説明図である。
【符号の説明】
【００３９】
８  本体
１０  蓋体
２０  上部ケース
２２  下部ケース
２４  ヒンジ部
２６  表示窓
２８  ネジ貫通ホール
３０  表示窓
３２  ネジ締結溝
３４  係止フック
３６  係止フック
４０  第１リブ
４２  支持溝
４４  第２リブ
４６  支持壁
４８  係止突条
【図１】
2004343751.tif 000003
【図２】
2004343751.tif 000004
【図３】
2004343751.tif 000005
【図４】
2004343751.tif 000006
【図５】
2004343751.tif 000007
【図６】
2004343751.tif 000008
【図７】
2004343751.tif 000009
【図８】
2004343751.tif 000010
【図９】
2004343751.tif 000011
【図１０】
2004343751.tif 000012
【図１１】
2004343751.tif 000013
【図１２】
2004343751.tif 000014
【図１３】
2004343751.tif 000015